(57)【要約】  【解決手段】  薬剤用量を計量するための計量・希釈用カップを提供する。前記カップは、開口部と側壁により区画された中空内部とを有する本体を有している。前記カップはまた、薬剤計量室を有している。前記薬剤計量室は、前記開口部に対向して設けられ、前記中空内部の底部分を構成している。前記カップはまた、前記開口部の近接に位置する希釈計量室を有している。前記薬剤計量室は、前記希釈計量室の容量よりも小さい容量を計量するものであり、前記薬剤計量室は前記希釈計量室に向いて開口している。前記本体は略円筒形であり、前記薬剤計量室は前記本体と同心の円筒形領域あるいは円錐形領域を有している。前記薬剤計量室は前記本体の直径より小さい直径を有する。  【選択図】      図５
2009541009.tif 000002
【特許請求の範囲】
【請求項１】
薬剤用量を計量するための計量・希釈用カップであって、
（ａ）開口部と少なくとも１つの側壁により区画された中空内部とを有する本体と、
（ｂ）前記開口部に対向して設けられ、前記中空内部の底部分を構成する薬剤計量室と、
（ｃ）前記開口部の近接に位置する希釈計量室と
を有し、
前記薬剤計量室は前記希釈計量室の容量よりも少ない容量を計量するものであり、前記薬剤計量室は前記希釈計量室に向いて開口しており、前記本体は略円筒形であり、前記薬剤計量室はこの本体と同心の円筒形領域あるいは円錐形領域を有しており、前記薬剤計量室はこの本体より小さい直径を有すものである
ことを特徴とする計量・希釈用カップ。
【請求項２】
請求項１記載の計量・希釈用カップにおいて、前記薬剤計量室は前記開口部と同心であり、前記本体と同心の一連の円筒形領域あるいは円錐形領域を有しており、当該領域により順次減少する容量を計量するものである。
【請求項３】
請求項２記載の計量・希釈用カップにおいて、前記一連の順次減少する計量された容量（測定量）は、減少直径を有する複数の同心の円筒部により定義されるものである。
【請求項４】
請求項２記載の計量・希釈用カップにおいて、前記順次減少する計量された測定量は、減少直径を有する複数の同心の円錐形部により定義されるものである。
【請求項５】
請求項１記載の計量・希釈用カップにおいて、前記希釈計量室は容量を示す表示を有するものである。
【請求項６】
請求項１記載の計量・希釈用カップにおいて、前記薬剤計量室は容量を示す目盛りを有するものである。
【請求項７】
請求項１記載の計量・希釈用カップにおいて、この計量・希釈用カップは、さらに、
前記開口部に接合し、前記中空内部をその底面の対向位置で閉じる蓋部を有するものである。
【請求項８】
請求項７記載の計量・希釈用カップにおいて、前記蓋部はテザーで前記カップにつながれているものである。
【請求項９】
請求項１記載の計量・希釈用カップにおいて、前記側壁は前記開口部から前記中空内部の底部分を越えて延長しているものである。
【請求項１０】
請求項１記載の計量・希釈用カップにおいて、前記側壁は前記開口部から前記中空内部の底面まで均等に延長しているものである。
【請求項１１】
請求項１記載の計量カップにおいて、前記薬剤計量室は約０．２５  ｍｌの薬剤溶液を収容するように構成されたサイズを有するものである。
【請求項１２】
請求項１記載の計量カップにおいて、前記計量カップは約１２０  ｍｌの溶液を収容するように構成されたサイズを有するものである。
【請求項１３】
請求項１記載の計量カップにおいて、前記薬剤計量室で計量された容量が前記希釈計量室に収容され計量された希釈剤で希釈されたとき適切な用量濃度に希釈されるように、前記薬剤計量室と前記希釈計量室の容量は比例しているものである。
【請求項１４】
薬剤用量を計量するための計量・希釈用カップであって、
（ａ）開口部と側壁により区画された中空内部とを有する本体と、
（ｂ）前記開口部に対向して設けられ、前記中空内部の底部分を構成する薬剤計量室と、
（ｃ）前記開口部の近接に位置する希釈計量室と
を有し、
前記薬剤計量室は前記希釈計量室の容量より少ない容量を計量するものであり、前記薬剤計量室は前記希釈計量室に向いて開口しており、
前記本体は略円筒形であり、前記薬剤計量室は前記開口部と同心で、且つ一連の同心の円筒形領域あるいは円錐形領域を有し、当該領域は順次減少する容量４．０  ｍｌ、３．２  ｍｌ、２．４  ｍｌ、１．６  ｍｌ、０．８  ｍｌを計量するものであり、当該順次減少する測定量の領域は前記開口部の直径より順次小さくなる減少直径を有しており、
前記希釈計量室は、前記希釈計量室と前記薬剤計量室を合計した容量の４ｏｚ（オンス）を示した表示を有するものである
ことを特徴とする計量・希釈用カップ。
【請求項１５】
ボトルおよび請求項１４記載の計量カップを有する薬剤用量キット。
【請求項１６】
ボトルおよび請求項１記載の計量カップを有する薬剤用量キット。
【発明の詳細な説明】
【技術分野】
【０００１】
本発明は計量カップに関し、特に、薬剤の計量・希釈用カップに関するものである。
【背景技術】
【０００２】
薬剤投薬の用量が不正確なことはよくありがちであり、それによる犠牲も大きなものである。小児科の患者集団での不正確な薬剤用量に関する発見をサポートする統計および客観的なデータを載せた医学文献はあふれている。例えば、かなりの数の患者が薬剤投薬のミスにより入院させられたり、投薬ミスの結果死亡したり、また薬剤の投薬ミスのため救急室に運ばれたりしている。
【０００３】
薬剤投薬の用量を適切に行なうことを容易にする必要性が存在している。投薬を正確かつ容易にする改善された、操作が簡単で安価な、消費者が手軽に使えるようなデバイスが社会から求められており、これにより薬剤投薬のミスによる内科的合併症が減少されるべきである。
【発明の概要】
【課題を解決するための手段】
【０００４】
本発明は、薬剤用量を計量するための計量・希釈用カップを含む。前記カップは、開口部と、側壁により区画された中空内部とを有する本体を有する。前記カップはまた、薬剤計量室を有する。前記薬剤計量室は、前記開口部に対向して設けられた前記中空内部の底部分を構成する。前記カップはまた、前記開口部の近接に位置する希釈計量室を有する。前記薬剤計量室は前記希釈計量室の容量より少ない容量を計量し、前記薬剤計量室は前記希釈計量室に向いて開口している。前記本体は略円筒形であり、前記薬剤計量室は前記本体と同心の円筒形領域または円錐形領域を有する。前記薬剤計量室は前記本体の直径より小さい直径を有する。
【図面の簡単な説明】
【０００５】
【図１】図１は、本発明の実施形態に従った、同心の円筒形領域を含む薬剤計量室を有する略円筒形の薬剤用量カップの概略図である。
【図２】図２は、本発明の実施形態に従った、同心の円筒形領域を含む薬剤計量室を有する薬剤用量カップの上面概略図である。
【図３】図３は、本発明の実施形態に従った、同心の円筒形領域を含む薬剤計量室を有する円錐形の薬剤用量カップの概略図である。
【図４】図４は、本発明の実施形態に従った、ボトルおよび薬剤用量カップを有するキットの概略図である。
【図５】図５は、本発明の実施形態に従った、計量目盛り表示の付いた薬剤用量カップの概略図である。
【発明を実施するための形態】
【０００６】
本発明は、個々のユーザーがカップの底部分で比較的小さな容量を測定し、当該カップの上部で比較的大きな容量の計量を可能にするように設計された薬剤用量カップを含む。本発明は、個々のユーザーが前記カップの底部分で比較的小さな容量の濃縮された薬剤溶液を計量し、同じカップの上部を使用して測定された容量の希釈液でその薬剤溶液を希釈できるように構成されている。
【０００７】
１つの実施形態では、カップの底部分は所定の容量を摘出するための目盛りおよび表示の付いた様々な直径を有する階段状の一連の同心円筒形を有する。前記計量カップの上部は、比較的大きな均一な直径を有しており、希釈液を収容して計量するのに適している。前記カップを使用することにより、ユーザーは計量した薬剤用量を適切な濃度に希釈することができる。
【０００８】
他の実施形態では、カップは当該カップを密閉する蓋部を有し、これによりユーザーは溶液をこぼさずに薬剤と希釈液をカップ内で混合させることができる。前記カップの底部分の比較的小さな領域は、小さな容量の測定を可能にする。前記底部分の小さな容量の測定領域は、希釈用に比較的大きな用量を収容する、前記カップの開口端に設けられた比較的大きな測定領域と結合している。
【０００９】
例えば円錐形底部分などの他の実施形態と同様に、前記カップ底部分の階段状に増大する同心円筒形は、比較的小さな容量を計量する際に視覚的な明りょうさを提供する。例えば、上記の最小円筒形領域は、約１  ｍｌを計量するように構成することができる。このような比較的小さな容量の計量は、異なる直径により分けられた円筒形領域により容易に行なうことができる。最小円筒形領域は、最小で僅か約０．２５  ｍｌ（１／４  ｔｓｐ）を収容するように構成できる一方、希釈用カップは全体で最大で約１２０  ｍｌ（４オンス）の液体を収容するように構成できるように意図されている。望ましい実施形態では、前記希釈用カップは６０  ｍｌ（２オンス）の液体を収容するように構成される。
【００１０】
図１には、薬剤用量を計量するための計量・希釈用カップ１０が図示されており、このカップは開口部１４と側壁１６により区画された中空内部とを有する本体１２を有する。前記カップは、前記開口部に対向して設けられ、前記中空内部の底部分を構成する薬剤計量室１８を有する。前記カップはまた、前記開口部の近接に位置する希釈計量室１９を有している。また、前記希釈計量室は前記カップの上部または最上部分と呼ばれ、一方、前記薬剤計量室はカップの下部または底部分と呼ばれる。
【００１１】
前記薬剤計量室１８は、前記希釈計量室１９の容量よりも少ない容量を計量する。前記薬剤計量室は、液体の溶液がこれら２つの室部間で自由に混合されるように、前記希釈計量室に向いて開口している。前記本体１２は略円筒形であり、前記薬剤計量室は前記本体と同心の円筒形領域２０を有している。前記薬剤計量室は前記本体より小さい直径を有する。
【００１２】
図１が示すように、前記薬剤計量室は前記開口部と同心であり、また前記本体と同心の一連の円筒形領域を有している。前記同心の円筒形領域のそれぞれは、それらの直径が小さくなるに従って順次減少する容量を計量する。このカップの上面図が図２に示されており、順次減少する円筒形領域が前記開口部２４の中心にリング２２として表示されている。
【００１３】
前記薬剤計量室で計量される容量は、直径の異なる近接する領域への移行により描出されるようになっている。前記希釈計量室で計量される容量は、容量を示す目盛りにより表される。線、溝、色、または他の適切なマークの目盛り１７は、計量した容量に相当する液体の容量のレベルを示すようにすることができる。計量した容量はまた、液体レベルの目盛りを示すラベルで示すこともできる。容量を示す目盛りは、前記薬剤計量室でも使用することができる。このような目盛りは、特定の容量に対する適切な円筒形領域に一致するように位置決めすることができる。これらの目盛りの実施例については、図５を参照して以下の実施例１で詳細に説明する。
【００１４】
薬剤の望ましい用量が前記薬剤計量室全体の容量よりも小さいものであることは明らかであると予見される。例えば、必要な薬剤用量が前記薬剤計量室全体のうちの１つの測定容量を満たすのみかもしれない。このような場合、希釈液を加えると希釈液は最初に前記薬剤計量室に入り、前記薬剤計量室が希釈液と薬剤の混合液で完全に満たされ、その後、前記混合液は前記希釈計量室に入り、前記希釈計量室に表示された適切な液体レベルに至る。
【００１５】
本発明の別の実施形態においては、前記カップの開口部に接合し、前記中空内部をその底面の対向位置で閉じる蓋部が含まれている。図３を参照すると、前記開口部を取り巻く内部側壁に固定するように取り付けられた蓋部３４を伴う円錐形のカップ３２が図示されている。選択的に、前記蓋部は、テザー３６により前記カップの本体に取り付けることが可能である。前記蓋部は、繰り返し取り外しが可能なスナップキャップの形体を取ることができる。前記蓋部が前記カップの最上部に固定された状態で、前記カップを逆さにして薬剤と希釈液を混合させることができるものである。
【００１６】
前記カップの底部分または基底については、図３で示すとおり、前記カップの側壁が前記開口部から前記中空内部の底部分を越えて延長することが可能である。代替的に、前記カップの側壁は図１が示すように前記中空内部の底面と略同一平面にまで延長することができ、この場合、前記薬剤計量室の底面は前記側壁とともにカップの基底の一部として機能する。前記側壁は前記中空内部の底面と均等の位置にまで延長する。どちらの構造においても、前記カップの底部分を図１が示すように解放された状態にすることができ、この場合前記カップは前記側壁により安定する。または、前記カップの底部分を図３が示すように平坦な底面３８で密封させることができる。更なる実施形態として、図３が示すように前記開口部から底部分にかけて前記側壁が内側に傾いている形体が考えられる。
【００１７】
１つの実施形態では、前記薬剤計量室と前記希釈計量室とが容量において比例するように前記計量カップが設計されている。前記比例は、前記薬剤計量室で計量した容量が、前記希釈計量室で計量した希釈液の容量と希釈される際に適切な用量濃度にまで希釈されるようになっている。比例する容量の一例は、実施例１で詳しく説明している。前記カップの比例は基本的に決定されており、前記薬剤計量室が例えば５０  ｍｇの有効（活性）成分といった所定の薬剤の用量を計量するようになっている。患者への投与として許容できるまたは好ましい経口液剤を調合するように混合する液量を提供するのが付随の希釈計量室である。また、前記カップは、単一の濃度で複数の薬剤用量を準備するように設計または目盛りを付けることができる。
【００１８】
本発明の別の実施形態では、ボトルと計量・希釈用カップとを有する薬剤用量キット４０を提供する。図４を参照には、溶液ボトル４４と本明細書に記載しているような付随する計量および投薬カップ４６を含む薬剤のパッケージが図示されている。この場合、前記計量および投薬用カップの容量および目盛りは、前記薬剤ボトルラベルに提供された投薬量の指示に合わせて調整することができる。
【００１９】
図示されていないものの、前記計量・希釈用カップは、直径が減少する同心の円錐形部分によって定義される、一連の順次減少する計量室を含めることもできる。この構成では、前記薬剤計量室は、図で示すように、円筒形というよりも円錐形の側壁を有するものである。
実施例
【実施例１】
【００２０】
この実施例では、１  ｍｌあたり２５  ｍｇの有効（活性）成分濃度を有する薬剤溶液を提供している。ボトルを伴う計量カップは、約１．６  ｍｌを収容する小さな直径を有する第１の円筒形領域を備えた薬剤計量室を有する。前記薬剤計量室は、更に０．８  ｍｌを収容するための若干直径の大きい第２の円筒形領域を有し、合計で２．４  ｍｌを保持するものであり、追加の０．８  ｍｌを収容するための更に直径の大きな第３の円筒形領域を有し、合計で３．２  ｍｌを保持するものであり、そして前記薬剤計量室内で追加の０．８  ｍｌを収容するための更に直径の大きな第４の円筒形領域を有し、合計４．０  ｍｌを保持するものである。
【００２１】
薬剤溶液の濃度が２５  ｍｇ／ｍｌにおいて、１．６  ｍｌの溶液には４０  ｍｇの薬剤用量を提供し、２．４  ｍｌの溶液には６０  ｍｇの薬剤用量を提供し、３．２  ｍｌの溶液には８０  ｍｇの薬剤用量を提供し、４．０  ｍｌの溶液には１００  ｍｇの薬剤用量を提供する。これら全ての薬剤用量は約４オンスまで希釈して経口投与用とすることができる。
【００２２】
このカップの上部は、希釈液を計量する部分で、更に大きな直径を有しており、当該カップに収容される液量オンスの合計を示す目盛りによりマーク付けされ、４液量オンスの計量レベルを示す上部の目盛り表示を有する。この実施例に従ったカップの概略図を図５に示している。
【実施例２】
【００２３】
この実施例はＣＥＰ−７０１（Ｃｅｐｈａｌｏｎ，Ｉｎｃ．）として知られている既知の液体製剤に特定したものである。ＣＥＰ−７０１の適切な投薬量は通常１オンスで希釈され、特に、ＣＥＰ−７０１の投薬量は約０．８  ｍｌである。この場合、最小直径による最初の増分容量０．８  ｍｌを含めること以外は、実施例１で開示したものと同じ計量カップを使用することができる。
【実施例３】
【００２４】
通常の液体製剤処方は１小匙（５  ｍｌ）単位で設計される。このような通常の１小匙単位の製剤用に適した計量カップは以下の投薬量を有する：１．２５  ｍｌ（１／４  ｔｓｐ）、２．５  ｍｌ（１／２  ｔｓｐ）、３．７５  ｍｌ（３／４  ｔｓｐ）、および５  ｍｌ（１  ｔｓｐ）。
【実施例４】
【００２５】
液剤の用量が非常に大きい場合、より大きな用量範囲に適合するように比較的大きなカップが設計される。具体的には、用量は小さなものから順に次のようになる：２．５  ｍｌ（１／２  ｔｓｐ）、５  ｍｌ（１  ｔｓｐ）、１５  ｍｌ（３  ｔｓｐ、１  ＴＢＳＰ）、および３０  ｍｌ（６  ｔｓｐまたは１オンス）。
【００２６】
本発明は、本明細書において具体的な実施形態を参照しながら図示および説明されているが、それら記載されている詳細に限定する意図はない。むしろ、特許請求の範囲の均等物の範囲内で、本発明から逸脱することなく、記載されている詳細において様々な修正が可能性なものである。
【図１】
2009541009.tif 000003
【図２】
2009541009.tif 000004
【図３】
2009541009.tif 000005
【図４】
2009541009.tif 000006
【図５】
2009541009.tif 000007
【国際調査報告】
2009541009.tif 000008
2009541009.tif 000009
2009541009.tif 000010